(57)【要約】【課題】広告画面及び商品販売画面の視認性をそれぞれ向上させることの可能な自動販売機を提供する。【解決手段】商品販売画面に表示を切替えるための画面切替用操作領域Ａ２を広告画面上の一部に重なるように表示させ、画面切替用操作領域Ａ２がタッチされると、商品販売画面に表示を切替えるようにしたので、広告画面をＬＣＤ１４に大きく表示することができるとともに、画面切替用操作領域Ａ２がタッチされたときには商品販売画面をＬＣＤ１４に大きく表示することができる。従って、広告画面及び商品販売画面の視認性をそれぞれ向上させることができるので、広告による販売促進効果を向上させることができるとともに、商品購入時の操作性も向上させることができる。【選択図】図７
2008040749.tif 000002
【特許請求の範囲】
【請求項１】
広告画面と商品販売画面とを表示可能な表示部と、表示部に設けられたタッチセンサとを備え、商品販売画面に表示された商品がタッチされたことをタッチセンサにより検知すると、その商品を搬出するようにした自動販売機において、
前記商品販売画面に表示を切替えるための画面切替用操作部を広告画面上の一部に重なるように表示させ、画面切替用操作部がタッチされると、商品販売画面に表示を切替える画面切替手段を備えた
ことを特徴とする自動販売機。
【請求項２】
前記画面切替手段を、広告の内容に応じて画面切替用操作部の表示位置を移動するように構成した
ことを特徴とする請求項１記載の自動販売機。
【請求項３】
前記画面切替手段を、広告の内容に応じて画面切替用操作部の表示態様を変更するように構成した
ことを特徴とする請求項１または２記載の自動販売機。
【請求項４】
前記画面切替手段を、販売商品のうち一部の商品を画面切替用操作部に表示するように構成した
ことを特徴とする請求項１、２または３記載の自動販売機。
【請求項５】
前記画面切替手段を、広告の内容に応じた商品を画面切替用操作部に表示するように構成した
ことを特徴とする請求項４記載の自動販売機。
【請求項６】
前記画面切替手段を、画面切替用操作部に表示される販売商品に代えて他の商品を表示するための商品切替用操作部を画面切替用操作部の近傍に表示させ、商品切替用操作部がタッチされると、他の販売商品を画面切替用操作部に表示するように構成した
ことを特徴とする請求項４または５記載の自動販売機。
【請求項７】
前記画面切替手段を、画面切替用操作部の上下方向少なくとも一端または左右方向少なくとも一端に他の販売商品の一部を表示するように構成した
ことを特徴とする請求項６記載の自動販売機。
【発明の詳細な説明】
【技術分野】
【０００１】
本発明は、例えば缶入り飲料、紙パック飲料、箱入り菓子等の商品を販売するとともに広告を表示する自動販売機に関するものである。
【背景技術】
【０００２】
従来、この種の自動販売機として、広告画面と商品販売画面とを表示可能な表示部と、表示部に設けられたタッチセンサとを備え、商品販売画面に表示された商品がタッチされたことをタッチセンサにより検知すると、その商品を搬出するようにしたものが知られている（例えば特許文献１参照）。
【特許文献１】特開平１１−５３６２８号公報
【発明の開示】
【発明が解決しようとする課題】
【０００３】
ところで、前記表示部には費用面及び設計面等の制約から大型のものを用いることが困難であることが一般的に知られている。
【０００４】
しかしながら、前記従来例では、広告画面と商品販売画面とを同時に表示しているので、各画面の表示領域がそれぞれ小さくなることから、利用者が広告及び販売商品を視認することが困難になり、広告による販売促進効果が低下するとともに、商品購入時の操作性も低下させるという問題点があった。
【０００５】
本発明は前記問題点に鑑みてなされたものであり、その目的とするところは、広告画面及び商品販売画面の視認性をそれぞれ向上させることの可能な自動販売機を提供することにある。
【課題を解決するための手段】
【０００６】
本発明は、前記目的を達成するために、広告画面と商品販売画面とを表示可能な表示部と、表示部に設けられたタッチセンサとを備え、商品販売画面に表示された商品がタッチされたことをタッチセンサにより検知すると、その商品を搬出するようにした自動販売機において、前記商品販売画面に表示を切替えるための画面切替用操作部を広告画面上の一部に重なるように表示させ、画面切替用操作部がタッチされると、商品販売画面に表示を切替える画面切替手段を備えている。
【０００７】
これにより、広告画面上の一部に画面切替用操作部が重なるように表示されることから、広告画面を表示部に大きく表示することが可能となる。また、画面切替用操作部がタッチされると、商品販売画面に表示が切替えられることから、商品販売画面を表示部に大きく表示することが可能となる。
【発明の効果】
【０００８】
本発明によれば、広告画面を表示部に大きく表示することができるとともに、画面切替用操作部がタッチされると商品販売画面を表示部に大きく表示することができるので、広告画面及び商品販売画面の視認性をそれぞれ向上させることができ、広告による販売促進効果を向上させることができるとともに、商品購入時の操作性も向上させることができる。
【発明を実施するための最良の形態】
【０００９】
図１乃至図１１は本発明の一実施形態を示すもので、図１は自動販売機の正面図、図２は図１に示した自動販売機の側面断面図、図３は図１に示した自動販売機の制御系構成を示すブロック図、図４は広告情報のデータ構造の一例を示す図、図５及び図６は図１に示した自動販売機における商品販売動作の流れを示すフロー図、図７は広告画面を示す図、図８は画面切替用操作部における商品表示の態様を示す図、図９は商品選択前の商品販売画面を示す図、図１０は商品選択後の商品販売画面を示す図、図１１は商品搬出後の商品販売画面を示す図である。
【００１０】
まず、図１及び図２を参照して自動販売機の構造について説明する。ここでの説明では図１の手前側を前、奥側を後、左側を左、右側を右と表記する。
【００１１】
自動販売機本体１は箱形を成し、前面を開口した断熱室１ａをその内側に備えている。断熱室１ａは断熱性の仕切り板（図示省略）によって左右に並ぶ複数の庫室ＳＲに区分されている。
【００１２】
各庫室ＳＲ内には、サーペンタイン式ラックから成る商品収納ラック２がそれぞれ配置されている。各商品収納ラック２は前面側上部に商品投入口２ａを有し、蛇行状の収納通路２ｂに缶入り飲料、瓶入り飲料、ペットボトル入り飲料等の商品Ｃを横向きで積み重ねた状態で収納している。また、各商品収納ラック２の下部には、収納商品Ｃを１個宛シュート板３上に落下搬出するための商品搬出機構２ｃが設けられている。さらに、各庫室ＳＲ毎に配置された商品収納ラック２それぞれには、商品Ｃの有無を収納通路２ｂ単位で検知する売切検知センサ（図示省略）が設けられている。この商品収納ラック２には、サーペンタイン式ラックに限らず、サーペンタイン式ラックと同様に収納商品を１個宛搬出可能な他形式のラックを使用することが可能である。
【００１３】
また、各庫室ＳＲ内には、その底部から背部にかけてシュート板３とダクト板４が設けられている。シュート板３及びダクト板４下側及び背面側の空間には、冷凍機構成機器のうちの蒸発器５と電熱ヒータ６と冷却・加温空気循環用送風機７等が配置され、ダクト板４の背面側空間はダクトＤとして構成されている。さらに、各庫室ＳＲ内には、商品収納ラック２内の搬出間近商品の温度を検知する温度センサ（図示省略）が設けられている。
【００１４】
断熱室１ａの底板１ｂの下側には機械室ＭＲが設けられており、この機械室ＭＲ内には、冷凍機構成機器のうちの凝縮器８、圧縮機９及び膨張手段（図示省略）と排熱用送風機１０等が配置されている。
【００１５】
また、断熱室１ａの前側には、その前面開口を開閉自在に覆う断熱性の内扉１１が設けられている。断熱室１ａの上下左右の前端部（下側の前端部は底板１ｂの前端部）と各仕切り板の前端部には、内扉１１を閉じた状態で商品収納室（各庫室ＳＲ）を気密状態とするためのパッキン（符号無し）が設けられており、各庫室ＳＲは内扉１１を閉じた状態で独立した断熱空間となる。さらに、内扉１１の下部には、各庫室ＳＲのシュート板３に対応した窓穴１１ａが複数個形成されており、各窓穴１１ａには、シュート板３を滑り落ちる商品Ｃによって押し開けられるフラップドア１１ｂが設けられている。
【００１６】
つまり、この自動販売機では、各庫室ＳＲが独立の断熱空間を構成し、しかも、各庫室ＳＲに蒸発器５と電熱ヒータ６が独立して設けられていることから、後述の温度調整用設定器３０（図３参照）によって庫室ＳＲ毎に冷却と加温と非冷却・加温の３つのモードの何れか１つを任意に選択して実施することができる。
【００１７】
外扉１２は自動販売機本体１の前面開口に開閉自在に設けられており、この外扉１２の表面上部には化粧パネル１３が設けられている。この化粧パネル１３は、液晶ディスプレイ１４の画面を露出するための矩形状窓穴１３ａと、商品メーカー名や商品名等を文字で表示するための広告部１３ｂを有している。
【００１８】
液晶ディスプレイ（Ｌｉｑｕｉｄ  Ｃｒｙｓｔａｌ  Ｄｉｓｐｌａｙ、以下ＬＣＤと言う）１４は後述の広告画面及び商品販売画面を構成する静止画像及び動画像をカラー表示するためのもので、その画面が窓穴１３ａから露出するように化粧パネル１３の内側に配置されている。このＬＣＤ１４は所定サイズと所定解像度、例えば１８インチのサイズと１２８０×１０２４ピクセルの解像度を有する。このＬＣＤ１４の代わりに同様の表示を可能とした周知ディスプレイ、例えばＣＲＴ（Ｃａｔｈｏｄｅ  Ｒａｙ  Ｔｕｂｅ）ディスプレイやＰＤＰ（Ｐｌａｓｍａ  Ｄｉｓｐｌａｙ  Ｐａｎｅｌ）等を使用することが可能である。
【００１９】
図１及び図２における図示を省略したが、ＬＣＤ１４の画面には、画面に利用者がタッチした位置を検知して画面上の座標位置を指定するタッチセンサ３３（図３参照）が設けられている。このタッチセンサ３３には周知の静電式透明タッチパネルや感圧式透明タッチパネルの他に、赤外線センサを構成する発光部と受光部を矩形枠の上下辺と左右辺に等間隔で配置したもの等が適宜使用できる。
【００２０】
また、外扉１２の前面には、ロック操作レバー１５、硬貨投入口１６、返却レバー１７、紙幣投入口１８、硬貨返却口１９、商品取出口２０が図１に示すレイアウトで設けられている。因みに、ロック操作レバー１５は外扉１２内に設けられたロック機構（図示省略）を操作するためのもので、専用キーによって使用可能な状態となる。また、商品取出口２０には、手動により開放可能なフラップドア２１が設けられ、その内側にはフラップドア１１ｂから排出された商品Ｃを受容する商品受け板２２が設けられている。
【００２１】
次に、図３を参照して図１及び図２に示した自動販売機の制御系構成について説明する。
【００２２】
第１制御部２３は商品Ｃの温調及び搬出等を主として制御するためのもので、第２制御部２４はＬＣＤ１４の表示及び外部とのデータ通信等を主として制御するためのものである。両制御部２３，２４はＣＰＵ、ＲＡＭ、ＲＯＭ等を備えたコンピュータから成り、制御上で必要なデータ交換を相互で行うことができる。勿論、第１制御部２３と第２制御部２４は１台のコンピュータで構成してもよい。なお、第２制御部２４は本願請求項でいう画面切替手段を構成している。
【００２３】
第１制御部２３には、硬貨処理機２５、紙幣識別機２６、搬出駆動部２７、圧縮機駆動部２８、ヒータ駆動部２９、温度調整用設定器３０が接続されている。また、第１制御部２３には、各庫室ＳＲ毎に配置された商品収納ラック２内の商品Ｃの有無を収納通路２ｂ単位で検知する売切検知センサ（図示省略）が売切検知部（図示省略）を介して接続され、各庫室ＳＲ内の搬出間近商品の温度を検知する温度センサ（図示省略）が温度検知部（図示省略）を介して接続されている。
【００２４】
硬貨処理機２５と紙幣識別機２６は外扉１２内に配置されていて、硬貨処理機２５は硬貨投入口１６を通じて投入された硬貨の真偽識別と計数と貯蔵を行い、投入硬貨の金額に関するデータを第１制御部２３に送出する。紙幣識別機２６は紙幣投入口１８を通じて投入された紙幣の真偽識別と貯蔵を行い、投入紙幣の金額に関するデータを第１制御部２３に送出する。
【００２５】
搬出駆動部２７は、各商品収納ラック２に設けられた商品搬出機構２ｃの動作、詳しくは商品搬出機構２ｃに用いられているソレノイド等のアクチュエータの動作を制御するためのもので、第１制御部２３からの制御信号に基づいて所定の商品搬出機構２ｃを動作させて所期の商品搬出を行う。
【００２６】
圧縮機駆動部２８は、冷凍機を構成する圧縮機９の動作、詳しくは圧縮機９を駆動するためのモータの運転を制御するためのもので、第１制御部２３からの制御信号に基づいて所期の圧縮機駆動を行う。
【００２７】
ヒータ駆動部２９は、各電熱ヒータ６への通電を制御するためのもので、第１制御部２３からの制御信号に基づいて所定の電熱ヒータ６への通電を行う。
【００２８】
温度調整用設定器３０は、先に述べた３つのモードの何れか１つを各庫室ＳＲ毎に選択するためのもので、モード選択用の押しボタンスイッチ等を備え、選択されたモードに関するデータを第１制御部２３に送出する。
【００２９】
第２制御部２４には、ＬＣＤ駆動部３１と、座標検出部３２と、音声出力部３４と、メモリーカードアダプタ（以下ＭＣアダプタと言う）３６と、モデム３８と、無線通信部４０が接続されている。
【００３０】
ＬＣＤ駆動部３１は、外扉１２に設けられたＬＣＤ１４の表示を制御するためのもので、第２制御部２４からの画像データ及び制御信号に基づいてＬＣＤ１４を駆動して所期の画像表示を行う。
【００３１】
座標検出部３２は、タッチセンサ３３の検知信号に基づき画面上の座標に関するデータを第２制御部２４に送出する。後述する各画面で表示される領域はＬＣＤ１４の画面上の座標を基準として設定されているので、座標検出部３２から第２制御部２４に送られるデータによって各種画面においてどの領域が選択されたかを簡単に判断できる。
【００３２】
音声出力部３４は、第２制御部２４からの音声信号及び制御信号に基づいてスピーカ３５を駆動して所期の音声出力を行う。このスピーカ３５は外扉１２内のＬＣＤ１４の両側に少なくとも１個宛配置されていて、ステレオ方式により立体的な音響効果が得られるようになっている。
【００３３】
ＭＣアダプタ３６は、メモリーカード（以下ＭＣと言う）３７の接続を可能とする。モデム３８は公衆電話回線３９等を利用して外部サーバ等との間でデータ通信を行うためのものであり、無線通信部４０は携帯電話網やＰＨＳ電話網等を利用して外部サーバ等との間で無線にてデータ通信を行うためのものである。
【００３４】
ＬＣＤ１４に表示され得る静止画像及び動画像等の画像データと文字データやスピーカ３５から出力される音声データは、ＭＣ３７、モデム３８を介してのデータ通信、または、無線通信網４０を介してのデータ通信によって、第２制御部２４が備えるハードディスク等の記憶手段に取り込むことができ、データ更新も任意に行うことができる。
【００３５】
前記の画像データ、文字データ及び音声データには、後述する広告画面時の表示画像、表示文字及び出力音声や、商品販売画面時の表示画像（販売可能商品それぞれに対応した複数の商品画像を含む）、表示文字及び出力音声等が含まれる。
【００３６】
また、第２制御部２４の記憶手段には、広告画面に表示される複数の広告情報が記憶されている。各広告情報は、図４に示すように広告ＩＤ、画像データ、音声データ、広告イメージ、広告背景色、後述の画面切替用操作領域Ａ２（以下領域Ａ２と言う）の表示位置及び商品コードから構成されている。
【００３７】
広告ＩＤは広告情報を識別するためのものであり、各広告情報毎にそれぞれ異なるＩＤが付与されている。広告イメージは、広告する商品やサービスのイメージを表すためのものであり、例えば冷房機器の広告には「涼しい」というイメージを表す値が格納され、暖房機器の広告には「暖かい」というイメージを表す値が格納されている。広告背景色は広告画像の背景色を表すためのものであり、例えば「白色」や「赤色」等を示す値が格納されている。領域Ａ２の表示位置は、該広告情報が広告画面に表示されたときの領域Ａ２の表示位置を表すためのものであり、領域Ａ２の表示位置を示す座標が格納されている。商品コードは自動販売機の販売商品を識別するためのものであり、商品収納ラック２に収納される商品毎にそれぞれ付与されている。なお、各広告情報の広告イメージ、広告背景色、領域Ａ２の表示位置及び商品コードは広告作成時に任意に設定することができる。
【００３８】
因みに、第２制御部２４の記憶手段に記憶されている各商品画像は、所定のサイズ及び解像度を有するＬＣＤ１４において実サイズで表示可能なサイズ（横ピクセル×縦ピクセル数）で作成されている。
【００３９】
次に、図５〜図１１を参照して図１及び図２に示した自動販売機における商品販売動作について説明する。
【００４０】
自動販売機の電源を入れると、図７に示す広告画面がＬＣＤ１４に表示される（ステップＳ１）。
【００４１】
この広告画面には、広告情報の画像データを表示するための広告領域Ａ１と、商品販売画面に表示を切替えるための領域Ａ２と、領域Ａ２に表示される販売商品の商品画像に代えて他の販売商品の商品画像を表示するための商品切替用操作領域Ａ３（以下領域Ａ３と言う）が設定されている。領域Ａ２及び領域Ａ３は、広告領域Ａ１上の一部に重なるように表示されている。また、領域Ａ３は、上下方向に三角形及び逆三角形を配置して形成されており、領域Ａ２の近傍に表示されている。
【００４２】
広告画面表示時には、第２制御部２４の記憶手段に記憶されている広告情報を読出し、該広告情報の内容に応じて領域Ａ２の表示設定を行う（ステップＳ２，Ｓ３）。領域Ａ２の表示設定について具体的に説明すると、まず、広告情報に格納された領域Ａ２の表示位置に応じて領域Ａ２の表示位置を移動する。例えば図４の広告ＩＤ０００１に対応する広告を広告画面に表示するときには、領域Ａ２を図７において実線で示す位置に表示させ、図４の広告ＩＤ０００２に対応する広告を広告画面に表示するときには、領域Ａ２を図７において破線で示す位置に表示させる。なお、領域Ａ２の表示位置が指定されていない場合には、所定位置（例えば座標X0 ，Ｙ0 ）に領域Ａ２を表示させる。
【００４３】
ここで、領域Ａ２の表示内容について図８を参照して説明する。図８（ａ）に示すように、領域Ａ２の中央には、ステップＳ２で読出した広告情報の商品コードに対応する販売商品の画像が縮小サイズで表示されることにより、広告の内容に応じた商品を領域Ａ２に表示するようになっている。また、領域Ａ２の下地Ａ２ａには、広告背景色とは異なる色が使用されることにより、広告の内容に応じて領域Ａ２の表示態様を変更するようになっている。さらに、縮小サイズの商品画像ＳＤＩの上下両端には、他の販売商品の商品画像の一部が縮小サイズで表示されることにより、利用者が他の販売商品の存在を認識することができるようになっている。なお、ステップＳ２で読出した広告情報に商品コードが指定されていない場合には、所定の販売商品の商品画像が縮小サイズで表示される。また、広告背景色が指定されていない場合には、所定の色（例えば白色）を下地Ａ２ａに用いてもよい。
【００４４】
前記のように領域Ａ２の表示設定がなされたときに、ステップＳ２で読出した広告情報の画像データ及び音声データを再生する（ステップＳ４）。
【００４５】
次に、広告画面において画面切替用操作領域Ａ２が利用者にタッチされたときには、広告画面を図９に示す商品販売画面に切替える（ステップＳ５，Ｓ６）。
【００４６】
この販売画面には、複数の商品サンプル表示領域Ｂ１〜Ｂ３０と、自動販売機の稼動状態を販売中か準備中の何れかにより表示するための稼動状態表示領域Ｂ３１と、硬貨投入口１６及び紙幣投入口１８を通じて投入された金額を表示するための投入金額表示領域Ｂ３２と、商品情報表示領域Ｂ３３と、広告表示画面に戻すためのリターン領域Ｂ３４が図９に示すレイアウトで設定されている。
【００４７】
各商品サンプル表示領域Ｂ１〜Ｂ３０の中央には、販売可能商品を示す商品画像が縮小サイズでそれぞれ表示されている。この縮小サイズの商品画像ＳＤＩは、第２制御部２４の記憶手段に記憶されている商品画像を７０％〜３０％に相似縮小したものである。
【００４８】
また、各商品サンプル表示領域Ｂ１〜Ｂ３０に表示された縮小サイズの商品画像ＳＤＩの下側には商品価格を示す数字が表示され、縮小サイズの商品画像ＳＤＩの上側には商品の冷却・加温状態を示すＣＯＬＤまたはＨＯＴの温調文字が表示されている。この温調文字は商品価格と隣接して表示してもよい。温調文字がＣＯＬＤの場合には温調文字またはその下地にブルー系の寒色が使用され、温調文字がＨＯＴの場合には温調文字またはその下地にレッド系の暖色が使用される。縮小サイズの商品画像ＳＤＩと温調文字との間には任意の設定により新商品やキャンペーン等のアイコンを表示することができる。また、商品が冷却中または加温中で販売に適さない状態にあるときには、商品価格の表示エリアに冷却中または加温中の文字を表示することができる。
【００４９】
ここで、前記商品サンプル表示領域Ｂ１〜Ｂ３０の表示設定の流れを簡単に説明する。まず、商品を各商品収納ラック２の収納通路２ｂに収納し、この後に収納商品に対応する商品コードを第１制御部２３に接続可能なリモコンまたは第１制御部２３と無線通信可能なハンディターミナルによって入力し、次に、商品コードを各商品サンプル表示領域Ｂ１〜Ｂ３０に割り当てる操作を行う。各商品コードに対応した商品画像は第２制御部２４に予め記憶されているので、商品コードの入力により所定の縮小サイズの商品画像ＳＤＩとその商品価格が各商品サンプル表示領域Ｂ１〜Ｂ３０に表示される。また、温調文字は温度調整用設定器３０で設定された内容に準じて表示される。新商品やキャンペーン等のアイコンを表示する場合には、予め用意されたアイコン群の中から所定のアイコンを選択した後にアイコンを表示すべき商品サンプル表示領域を選択すればよい。
【００５０】
商品販売画面切替後に硬貨または紙幣の投入があったときには、今現在の投入金額で購入可能な商品を視覚によって容易に確認できるように、購入可能商品の縮小サイズの商品画像ＳＤＩが表示された商品サンプル表示領域の枠や商品価格等を点滅させるかその表示色を変えるようにする。或いは、購入可能商品の縮小サイズの商品画像ＳＤＩを浮き上げる処理を行って、購入可能商品と購入不可能商品との差別化を図る。
【００５１】
商品販売画面表示時には、商品選択がなされたか否か、即ち、複数の商品サンプル表示領域Ｂ１〜Ｂ３０の何れか１つに利用者がタッチしたか否かを判別する（ステップＳ７）。
【００５２】
商品選択がなされたときには、図１０に示すように商品情報表示領域Ｂ３３に選択商品の商品画像を実サイズで表示して商品アピールを行う。先に述べたように、第２制御部２４の記憶手段に記憶されている商品画像は所定のサイズ及び解像度を有するＬＣＤ１４において実サイズ表示可能なサイズで作成されているため、選択商品の商品画像をそのまま商品情報表示領域Ｂ３３に表示すれば該商品画像は実サイズの商品画像ＲＳＩとなる。また、同じ商品情報表示領域Ｂ３３に選択商品の商品説明ＣＥ、例えば内容量やカロリーや効能等を縦スクロールや横スクロールや静止状態で表示して更なる商品アピールを行う（ステップＳ８）。
【００５３】
この後は投入金額が商品価格以上であるか否かを判別する（ステップＳ９）。
【００５４】
ステップＳ９で投入金額が商品価格に満たないと判別された場合、例えば投入金額がいくらか不足している場合や硬貨または紙幣の投入がこの段階でない場合にはステップＳ７に移行する。つまり、ステップＳ８における実サイズの商品画像ＲＳＩの表示と商品説明ＣＥの表示は、投入金額が商品価格以上で商品選択がなされるまでは、商品選択操作に基づいて行われることになる。換言すれば、利用者は所望商品の実サイズの商品画像ＲＳＩの表示と商品説明ＣＥの表示を任意に行うことで、これら表示から商品に係わる情報、或いは、購買決定を行うに必要な情報を適宜入手することができる。
【００５５】
因みに、ステップＳ９において投入金額がいくらか不足している場合には、必要に応じて投入金額が不足しています等のメッセージを、投入金額が商品価格に達するまで縦または横等のスクロールや静止状態で表示するようにしてもよい。
【００５６】
ステップＳ９で投入金額が商品価格以上であると判別された場合には、選択商品が収納されている商品収納ラック２の商品搬出機構２ｃを動作させて商品搬出を行う（ステップＳ１１）。
【００５７】
商品搬出完了後は、図１１に示すように、商品情報表示領域Ｂ３３の実サイズの商品画像ＲＳＩ及び商品説明ＣＥの表示をクリアし、商品販売画面を広告画面に戻す。
【００５８】
なお、投入金額が商品価格以上であるときには、ステップＳ７における最初の商品選択に基づいてステップＳ１１の商品搬出が行われることになるため、ステップＳ８における実サイズの商品画像ＲＳＩの表示と商品説明ＣＥの表示は瞬間的なものとなる。これを嫌う場合には、ステップＳ９の後で図１０に破線で示す購入決定領域Ｂ３５を商品情報表示領域Ｂ３３に表示するとともに、図５に破線で示す購入決定の有無を判別するステップＳ１０を設けるとよい。このようにすれば、購入決定領域Ｂ３５に利用者がタッチするまでは実サイズの商品画像ＲＳＩの表示と商品説明ＣＥの表示を継続させて、購入決定領域Ｂ３５に利用者がタッチしたタイミングで商品搬出を行うことができる。
【００５９】
一方、図７に示した広告画面において領域Ａ２ではなく、同画面で上下方向に配置された領域Ａ３のうち上方の領域Ａ３がタッチされたときには、図８（ｂ）に示すように領域Ａ２の下端側に表示された他の販売商品の縮小サイズの商品画像ＳＤＩが上方にスクロールして領域Ａ２の中央に表示される。また、下方の領域Ａ３がタッチされたときには、図８（ｃ）に示すように領域Ａ２の上端側に表示された他の販売商品の縮小サイズの商品画像ＳＤＩが下方にスクロールして領域Ａ２の中央に表示される（ステップＳ１２，Ｓ１３）。そして、前記スクロール処理がなされた後に、ステップＳ５に移行する。
【００６０】
また、図７に示した広告画面に表示された広告の再生が完了した場合には、他の広告情報を読出しを行い、完了していない場合には、ステップＳ５に移行する（ステップＳ１４）。
【００６１】
このように、本実施形態の自動販売機によれば、商品販売画面に表示を切替えるための画面切替用操作領域Ａ２を広告画面上の一部に重なるように表示させ、画面切替用操作領域Ａ２がタッチされると、商品販売画面に表示を切替えるようにしたので、広告画面をＬＣＤ１４に大きく表示することができるとともに、画面切替用操作領域Ａ２がタッチされたときには商品販売画面をＬＣＤ１４に大きく表示することができる。従って、広告画面及び商品販売画面の視認性をそれぞれ向上させることができるので、広告による販売促進効果を向上させることができるとともに、商品購入時の操作性も向上させることができる。
【００６２】
また、広告の内容に応じて画面切替用操作領域Ａ２の表示位置を移動するようにしたので、広告の強調部分に領域Ａ２が重なった状態で表示されることを確実に防止することができる。これにより、広告を自由にレイアウトすることが可能となり、販促効果の向上を図ることができる。
【００６３】
さらに、広告の内容に応じて画面切替用操作領域Ａ２の表示態様を変更するようにしたので、広告画面において領域Ａ２を広告から際立たせることができ、利用者が円滑に商品購入を行うことができる。
【００６４】
さらにまた、販売商品のうち一部の商品を画面切替用操作領域Ａ２に表示するようにしたので、利用者が広告を見ながら購入可能商品を容易に視認することができる。
【００６５】
また、広告の内容に応じた商品を画面切替用操作領域Ａ２に表示するようにしたので、広告を見た利用者が想起し易い販売商品を領域Ａ２に表示させることができ、販売商品の販促効果を向上させることができる。
【００６６】
さらに、画面切替用操作領域Ａ２に表示される販売商品に代えて他の商品を表示するための商品切替用操作領域Ａ３を画面切替用操作領域Ａ２の近傍に表示させ、商品切替用操作領域Ａ３がタッチされると、他の販売商品を画面切替用操作領域Ａ２に表示するようにしたので、利用者は広告を見ながら他の販売商品の存在を認識することができる。
【００６７】
さらにまた、画面切替用操作領域Ａ２の上下両端に他の販売商品の一部を表示するようにしたので、利用者に他の販売商品の存在を通知することができ、他の販売商品の販売機会を確保することができる。
【００６８】
なお、上記実施形態は本発明の一具体例に過ぎず、本発明が上記実施形態のみに限定されることはない。例えば、前記実施形態では、広告情報の商品コードに応じた商品の画像を画面切替用領域Ａ２に表示するものを示したが、広告情報の広告イメージに応じた商品の画像を領域Ａ２に表示してもよい。例えば、広告情報の広告イメージに「涼しい」を表す値が格納されていた場合には、販売商品のうち冷却された商品を抽出して、その商品の画像を表示するようにしてもよい。
【００６９】
また、前記実施形態では、画面切替用操作領域Ａ２の上下両端に他の販売商品の一部を表示するものを示したが、領域Ａ２の左右両端に他の販売商品の一部を表示するようにしてもよい。また、領域Ａ２の上下方向の一端または左右方向の一端に他の販売商品の一部を表示するようにしてもよい。
【００７０】
さらに、前記実施形態では、商品切替用操作領域Ａ３がタッチされたときに画面切替用操作領域Ａ２に表示される商品を他の商品に代えるものを示したが、領域Ａ２に表示させる商品を常に所定方向（例えば上方向）にスクロールさせて代えるようにしてもよい。
【００７１】
さらにまた、前記実施形態では、画面切替用操作部として領域Ａ２を設けたものを示したが、他にも自動販売機を表すアイコン等を画面切替用操作部として用いてもよい。
【図面の簡単な説明】
【００７２】
【図１】本発明の一実施形態を示す自動販売機の正面図
【図２】図１に示した自動販売機の側面断面図
【図３】図１に示した自動販売機の制御系構成を示すブロック図
【図４】広告情報のデータ構造の一例を示す図
【図５】図１に示した自動販売機における商品販売動作の流れを示すフロー図
【図６】図１に示した自動販売機における商品販売動作の流れを示すフロー図
【図７】広告画面を示す図
【図８】画面切替用操作部における商品表示の態様を示す図
【図９】商品選択前の商品販売画面を示す図
【図１０】商品選択後の商品販売画面を示す図
【図１１】商品搬出後の商品販売画面を示す図
【符号の説明】
【００７３】
１４…ＬＣＤ、２４…第２制御部、３３…タッチセンサ、Ａ２…画面切替用操作領域、Ａ３…商品切替用操作領域。
【図１】
2008040749.tif 000003
【図２】
2008040749.tif 000004
【図３】
2008040749.tif 000005
【図４】
2008040749.tif 000006
【図５】
2008040749.tif 000007
【図６】
2008040749.tif 000008
【図７】
2008040749.tif 000009
【図８】
2008040749.tif 000010
【図９】
2008040749.tif 000011
【図１０】
2008040749.tif 000012
【図１１】
2008040749.tif 000013